【手続補正書】
【提出日】平成19年6月15日(2007.6.15)
【手続補正１】
【補正対象書類名】特許請求の範囲
【補正対象項目名】全文
【補正方法】変更
【補正の内容】
【特許請求の範囲】
【請求項１】
画像データの管理に用いられる第１管理レコードを記憶するための第１管理レコード用メモリ領域と、前記第１管理レコードにリンクした第２管理レコードを記憶するための第２管理レコード用メモリ領域と、を含む記憶手段と、
前記記憶手段において前記第１管理レコード及び前記第２管理レコードを記憶するための領域を獲得する獲得手段と、
を備え、前記第１管理レコード及び前記第２管理レコードによって画像データを管理する画像処理装置であって、
前記獲得手段は、前記第１管理レコード用メモリ領域に前記第１管理レコードを記憶するための記憶域を獲得できない場合に、前記第２管理レコード用メモリ領域に前記第１管理レコードを記憶するための記憶域を獲得することを特徴とする画像処理装置。
【請求項２】
前記獲得手段は、前記第１管理レコード用メモリ領域に第１管理レコードを記憶するための領域を獲得できない場合に、前記第２管理レコード用メモリ領域に前記第１管理レコードを記憶するための記憶域として、１つの前記第２管理レコードを記憶する記憶域の整数倍の記憶域を獲得することを特徴とする請求項１に記載の画像処理装置。
【請求項３】
ジョブを１つ以上のファイルに関連づけて管理するジョブ管理レコードを格納するためのジョブ管理レコード用メモリ領域と、
前記ファイルを１つ以上のページに関連づけて管理するファイル管理レコードを格納するためのファイル管理レコード用メモリ領域と、
前記ページを１つ以上のメモリブロックに関連づけて管理するページ管理レコードを格納するためのページ管理レコード用メモリ領域と、
前記メモリブロックを、画像データのメモリ領域に関連づけて管理するメモリブロック管理レコードを格納するためのメモリブロック管理レコード用メモリ領域と、
画像データを格納するための画像データ用メモリ領域と、
を含むメモリと、
前記メモリに対する各管理レコードの格納を制御する制御手段と、
を有する画像処理装置であって、
前記制御手段は、前記ジョブ管理レコード、前記ファイル管理レコード、前記ページ管理レコード、及び前記メモリブロック管理レコードのうちの何れかの管理レコードを格納する際に、該管理レコードを格納するための管理レコード用メモリ領域が不足している場合に、他のいずれかの管理レコード用メモリ領域に、前記管理レコードを格納することを特徴とする画像処理装置。
【請求項４】
前記制御手段は、
前記他の管理レコード用メモリ領域において、前記管理レコードを格納するため、前記管理レコードの整数倍のサイズのメモリ領域を確保することを特徴とする請求項１に記載の画像処理装置。
【請求項５】
前記制御手段は、
前記他の管理レコード用メモリ領域の中から、使用部分の占有率が最も小さな管理レコード用メモリ領域を、前記管理レコードの格納に用いることを特徴とする請求項１記載の画像処理装置。
【請求項６】
前記制御手段は、
前記他の管理レコード用メモリ領域の中から、総メモリサイズの最も大きな管理レコード用メモリ領域を、前記管理レコードの格納に用いることを特徴とする請求項１記載の画像処理装置。
【請求項７】
前記制御手段は、
前記他の管理レコード用メモリ領域の中から、残量が最も大きな管理レコード用メモリ領域を、前記管理レコードの格納に用いることを特徴とする請求項１記載の画像処理装置。
【請求項８】
第１管理レコードを格納するための第１管理レコード用メモリ領域と、第２管理レコードを格納するための第２管理レコード用メモリ領域と、を含む記憶手段を備えた画像処理装置において、前記第１管理レコード及び前記第２管理レコードによって画像データを管理するデータ管理方法であって、
前記第１管理レコード用メモリ領域に第１管理レコードを記憶するための領域を獲得する第１獲得工程と、
前記第１獲得工程で、前記第１管理レコード用メモリ領域に第１管理レコードを記憶するための領域を獲得できなかった場合に、前記第２管理レコード用メモリ領域に前記第１管理レコードを記憶するための領域を獲得する第２獲得工程と、
を含むことを特徴とするデータ管理方法。
【請求項９】
ジョブを１つ以上のファイルに関連づけて管理するジョブ管理レコードを格納するためのジョブ管理レコード用メモリ領域と、
前記ファイルを１つ以上のページに関連づけて管理するファイル管理レコードを格納するためのファイル管理レコード用メモリ領域と、
前記ページを１つ以上のメモリブロックに関連づけて管理するページ管理レコードを格納するためのページ管理レコード用メモリ領域と、
前記メモリブロックを、画像データのメモリ領域に関連づけて管理するメモリブロック管理レコードを格納するためのメモリブロック管理レコード用メモリ領域と、
画像データを格納するための画像データ用メモリ領域と、
を含むメモリを有する画像処理装置の制御方法であって、
前記ジョブ管理レコード、前記ファイル管理レコード、前記ページ管理レコード、及び前記メモリブロック管理レコードのうちの何れかの管理レコードを格納する際に、該管理レコードを格納するための管理レコード用メモリ領域が不足している場合に、他のいずれかの管理レコード用メモリ領域に、前記管理レコードを格納することを特徴とする画像処理装置の制御方法。
【請求項１０】
請求項８に記載のデータ管理方法の各工程をコンピュータに実行させるプログラム。
【請求項１１】
請求項９に記載の制御方法の各工程をコンピュータに実行させるプログラム。
【手続補正２】
【補正対象書類名】明細書
【補正対象項目名】０００７
【補正方法】変更
【補正の内容】
【０００７】
上記目的を達成するため、本発明に係る装置は、
画像データの管理に用いられる第１管理レコードを記憶するための第１管理レコード用メモリ領域と、前記第１管理レコードにリンクした第２管理レコードを記憶するための第２管理レコード用メモリ領域と、を含む記憶手段と、
前記記憶手段において前記第１管理レコード及び前記第２管理レコードを記憶するための領域を獲得する獲得手段と、
を備え、前記第１管理レコード及び前記第２管理レコードによって画像データを管理する画像処理装置であって、
前記獲得手段は、前記第１管理レコード用メモリ領域に前記第１管理レコードを記憶するための記憶域を獲得できない場合に、前記第２管理レコード用メモリ領域に前記第１管理レコードを記憶するための記憶域を獲得することを特徴とする。
【手続補正３】
【補正対象書類名】明細書
【補正対象項目名】０００８
【補正方法】変更
【補正の内容】
【０００８】
上記目的を達成するため、本発明に係る他の装置は、
ジョブを１つ以上のファイルに関連づけて管理するジョブ管理レコードを格納するためのジョブ管理レコード用メモリ領域と、
前記ファイルを１つ以上のページに関連づけて管理するファイル管理レコードを格納するためのファイル管理レコード用メモリ領域と、
前記ページを１つ以上のメモリブロックに関連づけて管理するページ管理レコードを格納するためのページ管理レコード用メモリ領域と、
前記メモリブロックを、画像データのメモリ領域に関連づけて管理するメモリブロック管理レコードを格納するためのメモリブロック管理レコード用メモリ領域と、
画像データを格納するための画像データ用メモリ領域と、
を含むメモリと、
前記メモリに対する各管理レコードの格納を制御する制御手段と、
を有する画像処理装置であって、
前記制御手段は、前記ジョブ管理レコード、前記ファイル管理レコード、前記ページ管理レコード、及び前記メモリブロック管理レコードのうちの何れかの管理レコードを格納する際に、該管理レコードを格納するための管理レコード用メモリ領域が不足している場合に、他のいずれかの管理レコード用メモリ領域に、前記管理レコードを格納することを特徴とする。
【手続補正４】
【補正対象書類名】明細書
【補正対象項目名】０００９
【補正方法】変更
【補正の内容】
【０００９】
上記目的を達成するため、本発明に係る方法は、
第１管理レコードを格納するための第１管理レコード用メモリ領域と、第２管理レコードを格納するための第２管理レコード用メモリ領域と、を含む記憶手段を備えた画像処理装置において、前記第１管理レコード及び前記第２管理レコードによって画像データを管理するデータ管理方法であって、
前記第１管理レコード用メモリ領域に第１管理レコードを記憶するための領域を獲得する第１獲得工程と、
前記第１獲得工程で、前記第１管理レコード用メモリ領域に第１管理レコードを記憶するための領域を獲得できなかった場合に、前記第２管理レコード用メモリ領域に前記第１管理レコードを記憶するための領域を獲得する第２獲得工程と、
を含むことを特徴とする。
【手続補正５】
【補正対象書類名】明細書
【補正対象項目名】００１０
【補正方法】変更
【補正の内容】
【００１０】
上記目的を達成するため、本発明に係る他の方法は、
ジョブを１つ以上のファイルに関連づけて管理するジョブ管理レコードを格納するためのジョブ管理レコード用メモリ領域と、
前記ファイルを１つ以上のページに関連づけて管理するファイル管理レコードを格納するためのファイル管理レコード用メモリ領域と、
前記ページを１つ以上のメモリブロックに関連づけて管理するページ管理レコードを格納するためのページ管理レコード用メモリ領域と、
前記メモリブロックを、画像データのメモリ領域に関連づけて管理するメモリブロック管理レコードを格納するためのメモリブロック管理レコード用メモリ領域と、
画像データを格納するための画像データ用メモリ領域と、
を含むメモリを有する画像処理装置の制御方法であって、
前記ジョブ管理レコード、前記ファイル管理レコード、前記ページ管理レコード、及び前記メモリブロック管理レコードのうちの何れかの管理レコードを格納する際に、該管理レコードを格納するための管理レコード用メモリ領域が不足している場合に、他のいずれかの管理レコード用メモリ領域に、前記管理レコードを格納することを特徴とする。